(57)【要約】【課題】疑似三次元医用画像の生成において、被写体の体表外の空気領域が強調されないようにする。【解決手段】予め撮像された被写体の横断面を示す複数の医用画像を取得する画像取得部１と、複数の医用画像の各々において、被写体の体表内を表す被写体領域と、被写体の体表外を表す非被写体領域とに分類する領域分類部２と、分類された複数の被写体領域を表す画像情報に基づき、画像投影法を実行することにより疑似三次元医用画像を生成する疑似三次元医用画像生成部３とを備えた画像処理装置。【選択図】図１
2010110544.tif 000002
【特許請求の範囲】
【請求項１】
予め撮像された被写体の横断面を示す複数の医用画像を取得する画像取得部と、
前記複数の医用画像の各々において、前記被写体の体表内を表す被写体領域と、前記被写体の体表外を表す非被写体領域とに分類する領域分類部と、
前記分類された複数の被写体領域を表す画像情報に基づき、画像投影法を実行することにより疑似三次元医用画像を生成する疑似三次元医用画像生成部とを備えたことを特徴とする画像処理装置。
【請求項２】
前記領域分類部は、前記複数の医用画像の各々において、所定の画像濃度値を基準として二値化処理を施し、
該二値化処理が施された医用画像において二値化によって分別された２種の像のうちの一方を、該医用画像内での他方の像との位置関係、および他の医用画像により抽出された他方の像との位置関係に基づいて、前記被写体の体表内の像からなる前記被写体領域と、前記被写体の体表外の像からなる前記非被写体領域とに分類するものであることを特徴とする請求項１記載の画像処理装置。
【請求項３】
前記領域分類部は、前記複数の医用画像の各々において、所定の画像濃度値を基準として前記二値化処理を施し、
前記二値化処理が施された医用画像により分別された各像のうち、該医用画像の端部に位置する像と連結される像の集合領域以外を前記被写体領域と、前記集合領域を前記非被写体領域とに分類するものであることを特徴とする請求項１記載の画像処理装置。
【請求項４】
前記疑似三次元医用画像生成部が、ｍｉｎＩＰ法を用いて前記画像投影法を実行するものであることを特徴とする請求項１から請求項３のいずれか１項記載の画像処理装置。
【請求項５】
前記疑似三次元医用画像生成部が、ＭＩＰ法を用いて前記画像投影法を実行するものであることを特徴とする請求項１から請求項３のいずれか１項記載の画像処理装置。
【請求項６】
前記画像処理装置が、更に、
前記医用画像と、前記疑似三次元医用画像とを表示する表示部と、
前記表示された医用画像上に指定点を入力する入力部と、
前記入力部により指定点が入力された際、前記医用画像上の指定点に対応する前記疑似三次元医用画像上の対応点の位置を計算する計算部とを備えるものであり、
前記表示部が、前記疑似三次元医用画像上に、前記対応点を示す標識を、前記位置に合成表示することを特徴とする請求項１から請求項５いずれか１項記載の画像処理装置。
【請求項７】
前記画像処理装置が、更に、
前記医用画像と、前記疑似三次元医用画像とを表示する表示部と、
前記表示された疑似三次元医用画像上に指定点を入力する入力部と、
前記入力部により指定点が入力された際、前記疑似三次元医用画像上の指定点に対応する前記医用画像上の対応点の位置を計算する計算部とを備えるものであり、
前記表示部が、前記医用画像上に、前記対応点を示す標識を、前記位置に合成表示することを特徴とする請求項１から請求項５いずれか１項記載の画像処理装置。
【請求項８】
前記画像処理装置が、更に、
前記検出された複数の被写体領域において、前記被写体の左肺領域を含む区分と、前記被写体の右肺領域を含む区分とに区分けする肺領域区分部とを備え、
前記疑似三次元医用画像生成部が、前記右肺領域を含む区分の画像情報と、前記左肺領域を含む区分の画像情報とに基づき、画像投影法を実行することにより、右肺を表す疑似三次元医用画像と、左肺を表す疑似三次元医用画像とを生成することを特徴とする請求項１から請求項５いずれか１項記載の画像処理装置。
【請求項９】
予め撮像された被写体の横断面を示す複数の医用画像を取得し、
前記複数の医用画像の各々において、前記被写体の体表内を表す被写体領域と、前記被写体の体表外を表す非被写体領域とを分類し、
前記分類された複数の被写体領域を表す画像情報に基づき、画像投影法を実行することにより疑似三次元医用画像を生成することを特徴とする画像処理方法。
【請求項１０】
予め撮像された被写体の横断面を示す複数の医用画像を取得する機能と、
前記複数の医用画像の各々において、前記被写体の体表内を表す被写体領域と、前記被写体の体表外を表す非被写体領域とを分類する機能と、
前記分類された複数の被写体領域を表す画像情報に基づき、画像投影法を実行することにより疑似三次元医用画像を生成する機能とをコンピュータに実現させることを特徴とする画像処理プログラム。
【発明の詳細な説明】
【技術分野】
【０００１】
本発明は疑似三次元医用画像を生成する処理に関し、特に複数の医用画像から画像投影法を実行することにより疑似三次元医用画像を生成する画像処理装置および方法並びにプログラムに関するものである。
【背景技術】
【０００２】
従来、医療分野においては、複数の医用画像に対して、三次元的な画像の構築を可能とする画像投影法（Ｉｎｔｅｎｓｉｔｙ  Ｐｒｏｊｅｃｔｉｏｎ法、以下ＩＰ法という）を実行することにより、疑似三次元医用画像を生成することが行われている。
【０００３】
画像投影法は、処理対象である全ての原医用画像に対して、対応するそれぞれのピクセルについて最大値（若しくは最小値，特定値）を取り出して投影することで得られた疑似三次元医用画像を得る処理である。すなわち、図３に示すような場合、奥行き方向に得られた第１番目から第Ｎ番目までの原医用画像に対して、同一ピクセルでの最大値（若しくは最小値，特定値）を取り出す処理を全ピクセルについて行うことにより、疑似三次元医用画像を得ることを可能としている。
【０００４】
この画像投影法には、複数の医用画像毎から最大値を取り出して疑似三次元医用画像を生成するようにするＭＩＰ（Ｍａｘｉｍｕｍ  Ｉｎｔｅｎｓｉｔｙ  Ｐｒｏｊｅｃｔｉｏｎ）法が存在するが、最終的に生成される疑似三次元医用画像の全体が明るくなる方向に偏る傾向にある。一方、他の画像投影法に、複数の医用画像毎から最小値を取り出して疑似三次元医用画像を生成するようにするｍｉｎＩＰ（Ｍｉｎｉｍｕｍ  Ｉｎｔｅｎｓｉｔｙ  Ｐｒｏｊｅｃｔｉｏｎ）法が存在するが、最終的に生成される投影画像の全体が暗くなる方向に偏る傾向にある。
【０００５】
そこで、このような画像投影処理により投影画像の輝度が偏らないようにする手法が、特許文献１に提案されている。
【特許文献１】特開平７−３０３６４７号公報
【発明の開示】
【発明が解決しようとする課題】
【０００６】
しかしながら、例えば、ｍｉｎＩＰ法であれば、ＣＴ画像やＭＲＩ画像の様な被写体の体表を含む被写体の領域をそのまま投影した場合、被写体の体表の外の空気領域の濃度値が低いため、図４の擬似三次元医用画像Ｉ３に示すように、体表の外の空気領域のみが強調されてしまい、適切に表示されないという問題があった。
【０００７】
一方、複数の医用画像を反転処理することによって、医用画像上の体表の外の空気領域の濃度値が高い場合、ＭＩＰ法を用いることにより、体表の外の空気領域のみが強調されてしまい、適切に表示されないという問題も想定される。
【０００８】
そこで、本発明は、上記事情に鑑み、複数の医用画像から被写体領域を見やすくする疑似三次元医用画像の生成することが可能な画像処理装置および方法並びにそのためのプログラムを提供することを目的とするものである。
【課題を解決するための手段】
【０００９】
本発明の画像処理装置は、予め撮像された被写体の横断面を示す複数の医用画像を取得する画像取得部と、複数の医用画像の各々において、被写体の体表内を表す被写体領域と、被写体の体表外を表す非被写体領域とに分類する領域分類部と、分類された複数の被写体領域を表す画像情報に基づき、画像投影法を実行することにより疑似三次元医用画像を生成する疑似三次元医用画像生成部とを備えたことを特徴とするものである。
【００１０】
「領域分類部」は、複数の医用画像の各々において、所定の画像濃度値を基準として二値化処理を施し、二値化処理が施された医用画像において二値化によって分別された２種の像のうちの一方を、医用画像内での他方の像との位置関係、および他の医用画像により抽出された他方の像との位置関係に基づいて、被写体の体表内の像からなる被写体領域と、被写体の体表外の像からなる非被写体領域とに分類するものであってもよい。
【００１１】
また、「領域分類部」とは、複数の医用画像の各々において、所定の画像濃度値を基準として二値化処理を施し、二値化処理が施された医用画像により分別された各像のうち、医用画像の端部に位置する像と連結される像の集合領域以外を被写体領域と、集合領域を非被写体領域とに分類するものであることを特徴とするものであってもよい。
【００１２】
「疑似三次元医用画像生成部」は、画像投影法のうち、ｍｉｎＩＰ法またはＭＩＰ法いずれかの手法を実行するものであってもよい。
【００１３】
本発明の画像処理装置は、更に、医用画像と、疑似三次元医用画像とを表示する表示部と、表示された医用画像上に指定点を入力する入力部と、入力部により指定点が入力された際、医用画像上の指定点に対応する疑似三次元医用画像上の対応点の位置を計算する計算部とを備えるものであり、表示部が、疑似三次元医用画像上に、対応点を示す標識を、位置に合成表示することを特徴とするものであってもよい。
【００１４】
本発明の画像処理装置は、更に、医用画像と、疑似三次元医用画像とを表示する表示部と、表示された疑似三次元医用画像上に指定点を入力する入力部と、入力部により指定点が入力された際、疑似三次元医用画像上の指定点に対応する医用画像上の対応点の位置を計算する計算部とを備えるものであり、表示部が、医用画像上に、対応点を示す標識を、位置に合成表示することを特徴とするものであってもよい。
【００１５】
本発明の画像処理装置は、更に、検出された複数の被写体領域において、被写体の左肺領域を含む区分と、被写体の右肺領域を含む区分とに区分けする肺領域区分部とを備え、疑似三次元医用画像生成部が、右肺領域を含む区分の画像情報と、左肺領域を含む区分の画像情報とに基づき、画像投影法を実行することにより、右肺を表す疑似三次元医用画像と、左肺を表す疑似三次元医用画像とを生成することを特徴とするであってもよい。
【００１６】
本発明の画像処理方法は、予め撮像された被写体の横断面を示す複数の医用画像を取得し、複数の医用画像の各々において、被写体の体表内を表す被写体領域と、被写体の体表外を表す非被写体領域とを分類し、分類された複数の被写体領域を表す画像情報に基づき、画像投影法を実行することにより疑似三次元医用画像を生成することを特徴とする。
【００１７】
本発明の画像処理プログラムは、予め撮像された被写体の横断面を示す複数の医用画像を取得する機能と、複数の医用画像の各々において、被写体の体表内を表す被写体領域と、被写体の体表外を表す非被写体領域とを分類する機能と、分類された複数の被写体領域を表す画像情報に基づき、画像投影法を実行することにより疑似三次元医用画像を生成する機能とをコンピュータに実現させることを特徴とするものである。
【発明の効果】
【００１８】
本発明の画像処理装置および方法並びにプログラムによれば、被写体の体表内を表す被写体領域と、被写体の体表外を表す非被写体領域とを分類し、分類された複数の被写体領域を表す画像情報に基づき、画像投影法を実行することにより、非被写体領域の濃度値に依存することなく、体表を含む被写体内の低濃度領域を見やすくした疑似三次元医用画像を生成することができる。
【発明を実施するための最良の形態】
【００１９】
以下、本発明の実施の形態について説明する。
【００２０】
図１に示す画像処理装置１０は、予め撮像された被写体の横断面を示す複数の医用画像を取得する画像取得部１と、複数の医用画像の各々において、被写体の体表内を表す被写体領域と、被写体の体表外を表す非被写体領域とに分類する領域分類部２と、分類された複数の被写体領域を表す画像情報に基づき、画像投影法を実行することにより疑似三次元医用画像を生成する疑似三次元医用画像生成部３と、疑似三次元医用画像および／または医用画像を表示する表示部６と、後述する入力部４と、指定点に対応する対応点を入力する入力部４と、後述する計算部５等とを備えている。
【００２１】
画像取得部１は、複数の医用画像（例えば、ＣＴ画像やＭＲＩ画像等）を記録した記録媒体を読み取ることにより、もしくはＣＴ装置（コンピュータ断層撮影装置；Ｃｏｍｐｕｔｅｄ  Ｔｏｍｏｇｒａｐｈｙ）やＭＲＩ装置（核磁気共鳴撮像装置）から通信回線を経由することにより、複数の医用画像を取得するものである。なお、画像取得部１が、ＣＴ装置やＭＲＩ装置であってもよい。
【００２２】
領域分類部２は、複数の医用画像の各々において、被写体の体表内を表す被写体領域と、被写体の体表外を表す非被写体領域とに分類するものである。
【００２３】
領域分類部２は、所定の基準濃度以上の画像濃度を有する高濃度画素と、基準濃度よりも低い画像濃度を有する低濃度画素とに分類する濃度分類部（不図示）と、上記分類結果に伴い、各高濃度像の境界線が抽出し、各高濃度像に、その高濃度像を識別するためのラベル番号が付与する二次元ラベリング部（不図示）と、二次元の高濃度像をＺ軸方向に見たときの相互の繋がりが分析され、Ｚ軸方向に繋がった一連の高濃度像群が抽出する三次元ラベリング部（不図示）と、線形リストが辿られて、連結された複数のラベルデータそれぞれに含まれる高濃度像の面積の合計と、周囲長の合計とが算出され、それら面積の合計値および周囲長の合計値に基づいて、一連の高濃度像群の輪郭が繋がって形成される三次元像の体積が算出される体表推定部（不図示）と、体表の候補として決定された高濃度像群を構成する複数の高濃度像それぞれのラベルデータがスライス番号の小さいものから順に解析され、スライス番号が隣接する複数のラベルデータ間で、高濃度像の面積が急激に減るとともに、高濃度像の周囲長が急激に増加する第１変化点が探索され、穴埋め処理が終了すると、最終的な体表位置が決定されるもの穴検出部（不図示）と、体表決定部とを備えるものである。
【００２４】
具体的には、領域分類部２は、例えば、特願２００７−２５６２９０号公報の手法を用いてもよく、複数の医用画像の各々において、所定の画像濃度値を基準として二値化処理を施し、二値化処理が施された医用画像において二値化によって分別された２種の像のうちの一方を、医用画像内での他方の像との位置関係、および他の医用画像により抽出された他方の像との位置関係に基づいて、被写体の体表内の像からなる被写体領域と、被写体の体表外の像からなる非被写体領域とに分類することを可能とする。
【００２５】
複数の断面画像それぞれが所定の画像濃度を基準として二値化されるとともに、二値化された断面画像に写っている各像が、断面画像内や他の断面画像中の他の像との位置関係に基づいて、被検体内の像からなる第１の像群と被検体外の像からなる第２の像群とに分類される。このように、平面のみならず立体も考慮されて断面画像中の各像が分類されるため、画像濃度が低い肺の像なども、他の像との位置関係に基づいて精度良く被検体内の像に分類することができる。
【００２６】
また、領域分類部２は、分類部が、複数の断面画像に亘って連続している一連の像については同一の像群に分類するものであることが好ましい。
【００２７】
また、領域分類部２は、ある断面では分離していても、立体的に繋がっていれば同一の像群に分類されるため、ある断面画像上に写っている被検体の一部が消去されてしまう不具合を軽減することができる。
【００２８】
また、領域分類部２は、上記分類部が、１つの断面画像内である像が他の像を囲んでいる場合には、それらの像を同一の群像に分類するものであることが好適である。
【００２９】
領域分類部２は、被写体内にありながら画像濃度が低い肺野領域なども精度良く被写体内の像として分類することができる。
【００３０】
領域分類部２は、分類部が、第２の像群に分類された像のうち、その像が写っている断面画像中で、第１の像群に分類された像の間に割り込んだ像であって、かつ所定方向について、第１の像群に分類された像によって挟まれた像については第１の像群に分類し直すものであることが好ましい。
【００３１】
また、領域分類部２は、複数の医用画像の各々において、所定の画像濃度値を基準として二値化処理を施し、二値化処理が施された医用画像により分別された各像のうち、上述した二次ラベリングにより、医用画像の端部に位置する像と連結される像の集合領域以外を被写体領域と、集合領域を非被写体領域とに分類する手法を用いても良い。
【００３２】
疑似三次元医用画像生成部３は、領域分類部２により分類された複数の被写体領域を表す画像情報に基づき、画像投影法を実行することにより疑似三次元医用画像を生成するものである。画像投影法としては、例えば、ｍｉｎＩＰ法またはＭＩＰ法を用いる。
【００３３】
表示部６は、医用画像や疑似三次元医用画像を表示するモニタ、ＣＲＴ画面、液晶画面等である。特に、表示部６の最初の初期画面は、投影方向前後の重なりが少なく、被写体との対面方向を意識して、向かって右（左）側が患者の左（右）側になるのが望ましいことから、コロナル画像を表示する。
【００３４】
また、画像処理装置１０は、医用画像と、疑似三次元医用画像とを表示する表示部６と、表示された医用画像上に指定点を入力する入力部４と、入力部４により指定点が入力された際、医用画像上の指定点に対応する疑似三次元医用画像上の対応点の位置を計算する計算部５とを備え、表示部６が、疑似三次元医用画像上に、対応点を示す標識を、上記位置に合成表示する。
【００３５】
画像処理装置１０は、更に、医用画像と、疑似三次元医用画像とを表示する表示部と、表示された疑似三次元医用画像上に指定点を入力する入力部と、入力部により指定点が入力された際、疑似三次元医用画像上の指定点に対応する医用画像上の対応点の位置を計算する計算部とを備え、表示部が、医用画像上に、対応点を示す標識を、上記位置に合成表示するものであってもよい。
【００３６】
画像処理装置の構成は、補助記憶装置に読み込まれた画像処理プログラムをコンピュータ（たとえばパーソナルコンピュータ等）上で実行することにより実現される。
【００３７】
このとき、この画像処理プログラムは、ＣＤ−ＲＯＭ等の情報記憶媒体に記憶され、もしくはインターネット等のネットワークを介して配布され、コンピュータにインストールされることになる。
【００３８】
図２は疑似三次元医用画像の生成手順を表すフローチャートを示す図である。
【００３９】
まず、画像取得部１が、被写体を胸から足の付け根まで複数の切断位置で切断したときの各輪切の画像からなる医用画像（アキシャル画像）に置ける典型的な複数のＣＴ画像を取得する。領域分類部２が、画像取得部１により取得された複数のＣＴ画像から、上述した手法により、被写体の体表内を表す被写体領域と、被写体の体表外を表す非被写体領域とに分類する（＃１）。例えば、図４のＣＴ画像Ｉ１の囲み線Ｈ内が、被写体領域に相当する。また、図４のＣＴ画像Ｉ１の囲み線Ｈ外が、非被写体領域に相当する
疑似三次元医用画像生成部３が、領域分類部２により分類された複数の被写体領域を表す画像情報に基づき、上述したｍｉｎＩＰ法を実行することにより疑似三次元医用画像（以下、ｍｉｎＩＰ画像という）を生成する（＃２）。
【００４０】
表示部６は、図４の画像Ｉ２に示すように、疑似三次元医用画像部３により作成されたｍｉｎＩＰ画像を表示する（＃３）。
【００４１】
このような手順により、被写体の体表内を表す被写体領域と、被写体の体表外を表す非被写体領域とを分類し、分類された複数の被写体領域を表す画像情報に基づき、画像投影法を実行することにより、非被写体領域の濃度値に依存することなく（強調されることなく）、被写体内の空気領域を適切に表現した疑似三次元医用画像を生成することができる。
【００４２】
次に、表示部６の表示態様の一実施形態として、疑似三次元医用画像と医用画像との連動表示について、説明する。
【００４３】
図６は疑似三次元医用画像と医用画像との連動表示手順を表すフローチャートを示す図である。
【００４４】
まず、画像取得部１が、被写体を胸から足の付け根まで複数の切断位置で切断したときの各輪切の画像からなる医用画像（アキシャル画像）に置ける典型的な複数のＣＴ画像を取得する。領域分類部２が、画像取得部１により取得された複数のＣＴ画像から、上述した手法により、被写体の体表内を表す被写体領域と、被写体の体表外を表す非被写体領域とに分類する（＃１０）。
【００４５】
疑似三次元医用画像生成部３が、領域分類部２により分類された複数の被写体領域を表す画像情報に基づき、上述したｍｉｎＩＰ法を実行することにより疑似三次元医用画像（以下、ｍｉｎＩＰ画像という）を生成する（＃１１）。
【００４６】
表示部６は、疑似三次元医用画像部３により作成されたｍｉｎＩＰ画像（疑似三次元医用画像）を表示する（＃１２）。表示部６は、図５に示すようｍｉｎＩＰ画像と、ＣＴ画像とを同時に表示する。
【００４７】
入力部４が、表示部６上に表示されるｍｉｎＩＰ画像Ｉ２上の指定点Ｐ１の入力を受け付ける（＃１３）。
【００４８】
計算部６が、ｍｉｎＩＰ画像Ｉ２上の指定点Ｐ１の高さ位置（被写体の足の付け根から頭の高さ位置を示すＺ座標）に相当するＣＴ画像Ｉ２’を、Ｚバッファ法を用いて抽出する。また、指定点Ｐ１のＺ座標とＣＴ画像のＺ座標との比較で、最小値に位置するＣＴ画像をＣＴ画像Ｉ２’として抽出してもよい。
【００４９】
その後、計算部６が、ｍｉｎＩＰ画像Ｉ２上の指定点Ｐ１のＣＴ画像Ｉ２’上における横位置（Ｘ座標）と縦位置（Ｙ座標）を算出し、当該Ｘ座標と当該Ｙ座標に位置する対応点Ｐ２を求めるよう計算する（＃１４）。
【００５０】
その後、表示部６が、図５に示すように、ＣＴ画像Ｉ２’上に、対応点Ｐ２を示す標識（例えば、マーク、点等）を、位置に合成表示する（＃１５）。
【００５１】
また、画像処理装置１０は、ＣＴ画像の指定点から、対応する疑似三次元医用画像上の対応点を求めるものであってもよい。具体的には、表示部６上に、ｍｉｎＩＰ画像と、ＣＴ画像とが同時に表示されており、ＣＴ画像Ｉ２’上に指定点Ｐ２が入力されると、計算部６が、ＣＴ画像Ｉ２’が複数のＣＴ画像の内、どの高さ位置（被写体の足の付け根から頭の高さ位置を示すＺ座標）に相当するかを算出する。その後、計算部６が、ＣＴ画像Ｉ２’上の指定点Ｐ２の横位置（Ｘ座標）と縦位置（Ｙ座標）を算出し、当該Ｘ座標と当該Ｙ座標に位置するｍｉｎＩＰ画像上の対応点Ｐ１を求める。その後、表示部６が、ｍｉｎＩＰ画像Ｉ２上に、対応点Ｐ２を示す標識（例えば、マーク、点等）を、位置に合成表示する。
【００５２】
なお、これらのｍｉｎＩＰ画像と、ＣＴ画像との連動表示は、特開２００２−６０４４号公報に記載の手法をＰＥＴ画像からＣＴ画像に適用することにより用いても良い。
【００５３】
ユーザが、表示部６上のｍｉｎＩＰ画像上に指定点を指定すると、指定点を示す標識が表示され、表示部６上に対応して表示されるＣＴ画像上にも対応点の標識が自動表示される。
【００５４】
また、ユーザが、表示部６に表示されるＣＴ画像上に指定点を指定すると、指定点を示す標識が表示され、表示部６上に対応して表示されるｍｉｎＩＰ画像上にも対応点の標識が自動表示するものであってもよい。
【００５５】
また、表示された標識は、ユーザの読影の妨げにもなる可能性が考えられるため、入力部４（マウスのボタンやキーボードのキー操作等）の入力に応答して、表示をしたり、表示をしないように選択切替ができるものであってもよい。
【００５６】
また、表示部６上のｍｉｎＩＰ画像上にて、指定点を入力する際、入力部４（マウスボタン等）を一定時間継続して押したままにすると、表示部６上のｍｉｎＩＰ画像に対応して表示されたＣＴ画像上にも、対応点の標識が自動表示されるようにしてもよい。
【００５７】
逆に、表示部６上のＣＴ画像上にて、指定点を入力する際、入力部４（マウスボタン等）を一定時間継続して押したままにすると、表示部６上のＣＴ画像に対応して表示されたｍｉｎＩＰ画像上にも、対応点の標識が自動表示されるようにしてもよい。
【００５８】
これにより、ＣＴ画像上にて確認した空気領域等が、ｍｉｎＩＰ画像上の全体像として、どこに対応点が位置するかをｍｉｎＩＰ画像上で確認することが可能となる。この場合、ＣＴ画像上で体表領域外が指定点として指定された場合、表示部６上にエラーメッセージなどの警告を表示することも可能とする。ただし、警告の表示が煩雑等の場合は、入力部４の入力に応答して、表示しないように、選択切替を可能とする。
【００５９】
表示された標識は入力部４（マウスボタン等）を離すと非表示となり、ＣＴ画像は表示されたままとしてもよい。
【００６０】
また、標識を表示したい場合には、入力部４を操作することにより標識の表示をしたり、表示をしないように選択切替ができるものであってもよい。
【００６１】
また、疑似三次元画像部３が、入力部４によって回転指示を受け付けたことにより、ｍｉｎＩＰ画像を回転したデータを生成する。その後、表示部６にて、回転した表示部６に表示されたｍｉｎＩＰ画像を表示することを可能とする。なお、指定点や対応点を入力した場合は、回転してもそれらの標識は追従することができる。この回転についての追従方法は、特願２００８−１４５４０２号公報に記載の手法を用いても良い。
【００６２】
次に、表示部６の表示態様の一実施形態として、右肺と、左肺との夫々の擬似三次元医用画像の区分表示について、説明する。
【００６３】
画像処理装置１０が、更に、検出された複数の被写体領域において、被写体の左肺領域を含む区分と、被写体の右肺領域を含む区分とに区分けする肺領域区分部（不図示）とを備え、疑似三次元医用画像生成部３が、右肺領域を含む区分の画像情報と、左肺領域を含む区分の画像情報とに基づき、画像投影法を実行することにより、右肺を表す疑似三次元医用画像と、左肺を表す疑似三次元医用画像とを生成する。
【００６４】
肺領域区分部は、検出された複数の被写体領域において、被写体の左肺領域を含む区分と、被写体の右肺領域を含む区分とに区分けするものである。例えば、被写体の左肺領域を含む区分と、被写体の右肺領域を含む区分するために、図７に示すように、上記検出された被写体領域の横幅を算出し、中心線Ｌを設定することにより区分けするものである。
【００６５】
表示部６は、図７に示すように、左右肺野を分けてサジタル方向からｍｉｎＩＰ画像Ｉ３’とＩ３’’を表示するのが望ましい。両肺は、体表中心軸より右側、左側のみそれぞれ表示させる。表示部６は、左右どちらの肺野が表示されているか、画像上にどちらかの肺野を示す標識を表示する。
【００６６】
表示部６は、入力部４の表示設定入力を受け付けることにより、図７に示すように、ｍｉｎＩＰ画像Ｉ３’とＩ３’’を表示部４に同時表示、もしくはｍｉｎＩＰ画像Ｉ３’とＩ３’’のいずれかを切替して表示することを可能とする。
【００６７】
また、疑似三次元画像部３が、入力部４によって回転指示を受け付けたことにより、ｍｉｎＩＰ画像Ｉ３’とＩ３’’を回転したデータを生成する。その後、表示部６にて、ｍｉｎＩＰ画像Ｉ３’とＩ３’’の回転表示を可能とする。例えば、入力部４がｍｉｎＩＰ画像Ｉ３’とＩ３’’のいずれか一方の画像を回転するように指示した場合、他方の画像も連動して同一方向または逆方向に回転してもよい。
【００６８】
更には、入力部４がｍｉｎＩＰ画像Ｉ３’とＩ３’’のいずれか一方の画像を回転するような指示を受け付けた場合、他方の画像は、上下方向はその一方の画像の回転方向と同一方向に、左右方向は一方の画像の回転方向と逆に回転してもよい。
【００６９】
また、入力部４が、図７に示す医用画像Ｉ３上にて指定点の入力を受け付けた場合において、ｍｉｎＩＰ画像Ｉ３’とＩ３’’の同時表示の際には、医用画像Ｉ３上にて左肺を指定した場合は、左肺ｍｉｎＩＰ画像Ｉ３’’にカーソル表示され、右肺ｍｉｎＩＰ画像Ｉ３’に対応点の標識は表示されない。逆に、医用画像Ｉ３上にて右肺を指定した場合は、右肺ｍｉｎＩＰ画像Ｉ３’に対応点の標識が表示され、左肺ｍｉｎＩＰ画像Ｉ３’’に対応点の標識は表示されない。
【００７０】
また、入力部４が、図７に示す医用画像Ｉ３上にて指定点の入力を受け付けた場合において、ｍｉｎＩＰ画像Ｉ３’とＩ３’’のいずれかを表示する切替表示の際には、医用画像Ｉ３上にて左肺を指定した場合は、左肺ｍｉｎＩＰ画像Ｉ３’’に対応点の標識が表示される。逆に、医用画像Ｉ３上にて右肺を指定した場合は、右肺ｍｉｎＩＰ画像Ｉ３’に対応点の標識が表示される。
【００７１】
なお、上述した本実施形態は、ＣＴ画像を用いて説明したが、医用画像として、ＭＲＩ画像を用いることも可能である。
【００７２】
このような本実施形態により、被写体の体表内を表す被写体領域と、被写体の体表外を表す非被写体領域とを分類し、分類された複数の被写体領域を表す画像情報に基づき、画像投影法を実行することにより、非被写体領域の濃度値に依存することなく、体表を含む被写体内の低濃度領域を見やすくした疑似三次元医用画像を生成することができる。
【００７３】
それにより、表示部６は、擬似三次元医用画像の被写体領域を見えやすい状態で表示することができる。
【図面の簡単な説明】
【００７４】
【図１】本発明の実施形態における画像処理装置の構成を示した概略ブロック図
【図２】本発明の実施形態における擬似三次元医用画像の生成手順を表すフローチャートを示す図
【図３】画像投影法の処理の様子を示す説明図
【図４】本発明の実施形態における手法と、それ以外の手法とにより生成された擬似三次元医用画像の一例を表した図
【図５】本発明の実施形態における擬似三次元医用画像上の指定点と、対応する医用画像の対応点との一例を表した図
【図６】本発明の実施形態における疑似三次元医用画像と医用画像との連動表示手順を表すフローチャート
【図７】本発明の実施形態における左肺と、右肺との夫々の擬似三次元医用画像の一例を表した図
【符号の説明】
【００７５】
１      画像取得装置
２      領域分類部
３      擬似三次元画像部
４      入力部
５      計算部
６      表示部
【図１】
2010110544.tif 000003
【図２】
2010110544.tif 000004
【図３】
2010110544.tif 000005
【図６】
2010110544.tif 000006
【図４】
2010110544.tif 000007
【図５】
2010110544.tif 000008
【図７】
2010110544.tif 000009